(57)【要約】【課題】錠ユニットの挿入の可否によって施錠状態と解錠状態を明確に判別することができるマンホール蓋用ロック装置を提供する。【解決手段】錠ユニット１２を抜取った後、ロック操作具１３でロック軸１６を回転操作するロック装置である。ロック操作具１３の駆動部１４は、マグネット２０によってロック操作具１３の本体部分に吸着保持されるビット筒２１の底壁に形成されており、ビット筒２１の外側面には、固定外筒４の内周面の縦溝２２を経由して固定外筒４の拡径受溝１０に入り込む制止突起２３を設けてあり、止め金体１９を解錠位置に回してからロック操作具１３を固定外筒４から抜取るとき、制止突起２３が拡径受溝１０の段差壁面２４に当接することによって、ビット筒２１がロック操作具１３の本体部分から分離され、ビット筒２１が固定外筒４の内部に残置される。【選択図】図１
2007032230.tif 000002
【特許請求の範囲】
【請求項１】
中心軸線を上下方向に配置してマンホール蓋１に固着され、上端開口部２の内周面に雌螺子部３を形成した固定外筒４と、
固定外筒４に全体を挿入され、ケーシング７が固定外筒４に対して回転不能に拘束されており、ロータ８に連動装備した錠止板９が固定外筒４の内周面の拡径受溝１０に係合することによって、固定外筒４からの抜取りを阻止され、ロータ８に挿入した鍵体１１でロータ８を回転させることによって、錠止板９が拡径受溝１０から脱出する錠ユニット１２と、
錠ユニット１２の下側において固定外筒４に回転可能に挿入され、上端部にロック操作具１３の駆動部１４が係合する受動部１５を設けたロック軸１６と、
固定外筒４から突出したロック軸１６の下部に固着され、ロック操作具１３の回転操作によってマンホール外枠１７の受金部１８と係脱する止め金体１９とからなり、
ロック操作具１３の駆動部１４は、マグネット２０によってロック操作具１３の本体部分に吸着保持されるビット筒２１の底壁に形成されており、ビット筒２１の外側面には、固定外筒４の内周面の縦溝２２を経由して固定外筒４の拡径受溝１０に入り込む制止突起２３を設けてあり、
止め金体１９を解錠位置に回してからロック操作具１３を固定外筒４から抜取るとき、制止突起２３が拡径受溝１０の段差壁面２４に当接することによって、ビット筒２１がロック操作具１３の本体部分から分離され、ビット筒２１が固定外筒４の内部に残置されるようにしたマンホール蓋用ロック装置。
【発明の詳細な説明】
【技術分野】
【０００１】
本発明は、通信ケ−ブルや送電ケ−ブル、上下水道管を収納する共同溝等の出入り口であるマンホールに装備される蓋用ロック装置に関する。
【背景技術】
【０００２】
従来のマンホール蓋用ロック装置は、中心軸線を上下方向に配置してマンホール蓋に固着された固定外筒と；前記固定外筒に回転可能及び上下動可能に挿入された可動内筒と；前記可動内筒に上端部を挿入して連結され、下部が前記固定外筒から突出したロック軸と；前記ロック軸の下部に固着され、マンホール外枠の受金部と係脱する止め金体とで構成されており、ロック操作具で前記可動内筒を所定角度回転させることによって、前記ロック軸を上下方向に移動させながら施錠位置または解錠位置に回転させている（特許文献１参照）。
【０００３】
しかしながら、この従来装置では、前記止め金体が解錠位置または施錠位置のいずれにあっても、前記可動内筒は前記固定外筒の内部空間にあるため、施錠状態と解錠状態の判別が困難であり、マンホール蓋をマンホール外枠に嵌めた後に施錠を忘れて立ち去る事例が少なからず報告されている。
【０００４】
【特許文献１】特開平２−８８８２１号公報
【発明の開示】
【発明が解決しようとする課題】
【０００５】
本発明の課題は、錠ユニットの挿入の可否によって施錠状態と解錠状態を明確に判別することができるため、マンホール蓋の無施錠状態を極力回避できる危険性を減らせるマンホール蓋用ロック装置を提供することである。
【課題を解決するための手段】
【０００６】
本発明のマンホール蓋用ロック装置は、中心軸線を上下方向に配置してマンホール蓋１に固着され、上端開口部２の内周面に雌螺子部３を形成した固定外筒４と、
固定外筒４に全体を挿入され、ケーシング７が固定外筒４に対して回転不能に拘束されており、ロータ８に連動装備した錠止板９が固定外筒４の内周面の拡径受溝１０に係合することによって、固定外筒４からの抜取りを阻止され、ロータ８に挿入した鍵体１１でロータ８を回転させることによって、錠止板９が拡径受溝１０から脱出する錠ユニット１２と、
錠ユニット１２の下側において固定外筒４に回転可能に挿入され、上端部にロック操作具１３の駆動部１４が係合する受動部１５を設けたロック軸１６と、
固定外筒４から突出したロック軸１６の下部に固着され、ロック操作具１３の回転操作によってマンホール外枠１７の受金部１８と係脱する止め金体１９とからなり、
ロック操作具１３の駆動部１４は、マグネット２０によってロック操作具１３の本体部分に吸着保持されるビット筒２１の底壁に形成されており、ビット筒２１の外側面には、固定外筒４の内周面の縦溝２２を経由して固定外筒４の拡径受溝１０に入り込む制止突起２３を設けてあり、
止め金体１９を解錠位置に回してからロック操作具１３を固定外筒４から抜取るとき、制止突起２３が拡径受溝１０の段差壁面２４に当接することによって、ビット筒２１がロック操作具１３の本体部分から分離され、ビット筒２１が固定外筒４の内部に残置されるものである。
【発明の効果】
【０００７】
本発明のマンホール蓋用ロック装置では、ロータ８に挿入した鍵体１１でロータ８を回転操作し、錠止板９を拡径受溝１０から脱出させることによって、錠ユニット１２を固定外筒４から抜取った後、ロック操作具１３の駆動部１４をロック軸１６の受動部１５に係合させてロック軸１６を所定方向に回すことによって、止め金体１９がマンホール外枠１７の受金部１８から離脱した解錠位置に来る。
この解錠位置においてロック操作具１３を固定外筒４から抜取るとき、制止突起２３が拡径受溝１０の段差壁面２４に当接することによって、マグネット２０の磁気吸引力に打ち勝ってビット筒２１がロック操作具１３の本体部分から分離されるため、ビット筒２１が固定外筒４の内部に残置される。そのため、固定外筒４に再び錠ユニット１２を挿入しようとしても、残置されているビット筒２１に邪魔される結果、所定深さまで錠ユニット１２を落とし込むことができない。このように錠ユニット１２の挿入の可否によって施錠状態と解錠状態を明確に判別することができるため、マンホール蓋１を無施錠状態で放置する危険性を減らすことができる。
【実施例】
【０００８】
図示した実施例では、固定外筒４の上端開口部２の内周面には雌螺子部３が形成されており、上端開口部２はキャップ６の外周面に形成した雄螺子部５を雌螺子部３に螺合させることによって閉塞される。錠ユニット１２はキャップ６の下側において固定外筒４に挿入される。
【０００９】
本実施例では、キャップ６の回転操作具としてロック操作具１３が兼用されており、ロック操作具１３の駆動部１４が係合する受動部２５をキャップ６の上面部に設けてある。キャップ６の受動部２５とロック軸１６の受動部１５は、正六角形状の凹部で構成されている。キャップ６の外周面溝２６には防水用リング２７が装着されている。キャップ６の雄螺子部５は防水用リング２７より下側に形成されている。
尚、キャップ６の回転操作具とロック操作具１３を別個にすることもできる。
【００１０】
受動部１５を設けたロック軸１６の上端部４１は円盤状に形成され、該上端部４１と固定外筒４の底壁部２９との間には圧縮コイルバネ３０が挿入されている。この圧縮コイルバネ３０の作用によってロック軸１６は上方に移動付勢されており、止め金体１９は固定外筒４の下端面の隆起部３１に引き付けられ、止め金体１９に固設した停止突起３２の上端部が固定外筒４の下端面に開口している縦溝２２に係合している。止め金体１９は、固定外筒４から突出したロック軸１６の下端螺子軸部に螺合されている。
【００１１】
停止突起３２と縦溝２２の係合によって、ロック軸１６の回転は阻止され、止め金体１９はマンホール外枠１７の受金部１８に係合した施錠位置に的確に保持される。
ロック操作具１３でロック軸１６を解錠方向に回転操作する初めの段階でロック操作具１３を下方に押すことによって、停止突起３２と縦溝２２の係合が解除され、ロック軸１６が回転可能となる。その後、ロック軸１６は止め金体１９が受金部１８から離脱した解錠位置に回される。縦溝２２は拡径受溝１０に交差して固定外筒４の内周面に一対に設けられている。
【００１２】
固定外筒４はマンホール蓋１の垂直受孔３３に回転不能に嵌め込まれ、座板部４０の固着孔３４を通るボルトによって、マンホール蓋１に固着されている。錠ユニット１２は、鍵体１１をロータ８の鍵孔３５に挿入し、ロータ８を所定方向に回して、錠止板９をケーシング７の外周面に退没させた状態で固定外筒４に挿入される。錠ユニット１２が所定深さまで挿入された段階でロータ８を逆転させると、錠止板９がケーシング７の外周面から突出して、錠止板９の先端部が固定外筒４の拡径受溝１０の係合するため、錠ユニット１２の抜取りは的確に阻止される。また、錠ユニット１２の挿入に当たって、ケーシング７の外面に固設したストッパーピン３６が前記縦溝２２に挿入されるため、固定外筒４に対するケーシング７の回転は阻止されている。
【００１３】
本実施例では、鍵体１１は略Ｔ字状ハンドル３７の一つの分枝部によって構成され、ロック操作具１３は該ハンドル３７の別の分枝部によって構成されている。ビット筒２１の内底部にはマグネット２０が固定されており、ロック操作具１３の本体部分に嵌合されたビット筒２１は、マグネット２０の磁気吸引力によってロック操作具１３の丸棒状の本体部分に吸着保持されている。
【００１４】
ビット筒２１の側壁部には一対のガイド溝３８が軸線方向に形成され、ロック操作具１３の本体部分には、該ガイド溝３８に係合する一対のガイド突起３９が設けられている。ガイド突起３９は、ロック操作具１３の本体部分の直径方向に打ち込み固定されたピンの両端部で構成されている。ガイド突起３９がガイド溝３８に係合することによって、ビット筒２１はロック操作具１３の本体部分に対する回転を制止されている。ガイド突起２９の先端面はビット筒２１の外周面と整合している。
【００１５】
ビット筒２１の制止突起２３は、前記ガイド溝３８と同位相にしてビット筒２１の外側面に一対に設けられている。ビット筒２１の下面に設けた駆動部１４は、断面正六角形状の突起部で構成されている。
ビット筒２１の駆動部１４をキャップ６の受動部２５に係合させて、ロック操作具１３の本体部分をその中心軸線の周りに回転させることによって、キャップ６が固定外筒４の上端開口部２から取外される。
【００１６】
キャップ６を除去した後、鍵体１１が錠ユニット１２のロータ８の鍵孔３５の押し込み、ロータ８を鍵体１１で所定方向に回すことによって、錠止板９が固定外筒４の拡径受溝１０から脱出させられる。その状態を保って鍵体１１を引き上げることによって、鍵体１１に掛合している錠ユニット１２は、図１５に示したように固定外筒４から抜取られる。
【００１７】
この後、図１６に示したようにロック操作具１３を固定外筒４に挿入してロック軸１６を解錠方向に回転操作するのであるが、固定外筒４にロック軸１３を挿入するに当たっては、ビット筒２１の制止突起２３を固定外筒４の縦溝２２に位置合わせした状態で、ロック操作具１３が押し下げる。この押下げの終端域において、ビット筒２１の制止突起２３が固定外筒４の縦溝２２からに交差した拡径受溝１０に入り込むことによって、固定外筒４に対するビット筒２１の回転拘束が解除される。
【００１８】
押下げ終端域ではビット筒２１の駆動部１４がロック軸１６の受動部１５に係合しているため、ロック操作具１３の回転力はロック軸１６に伝達され、ロック軸１６を解錠方向に回転駆動することができる。
止め金体１９がマンホール外枠１７の受金部１８から離脱した解錠位置においてロック操作具１３をそのまま引き上げると、マグネット２１によってロック操作具１３の本体部分に吸着保持されているビット筒２１も一緒に若干量だけ引き上げられ、ビット筒２１の制止突起２３が拡径受溝１０の段差壁面２４に当接する。
【００１９】
その後もロック操作具１３の引き上げが続けられ、マグネット２０の磁気吸引力に打ち勝つと、ビット筒２１がロック操作具１３の本体部分から分離され、図１７に示したようにビット筒２１はロック軸１６の上側に落下させられる。ロック操作具１３の本体部分に設けたガイド突起３９は、拡径受溝１０の段差壁面２４に当接することなく拡大外筒４の空洞部を通過する。
【００２０】
このように止め金体１９が施錠状態にあるときには、ロック軸１６の上側にビット筒２１が残置されているため、施錠操作の最初の過程として、固定外筒４に錠ユニット１２を所要深さまで挿入し、キャップ６を固定外筒４の上端開口部２にねじ込み装着することができない。すなわち、ビット２１の存在によって施錠操作は禁止されている。
【００２１】
施錠操作を正しく行なうためには、先ず最初にロック操作具１３を固定外筒４に挿入し、ビット筒２１のガイド溝３８にロック操作具１３の本体部分のガイド突起３９を係合させて、マグネット２０によってビット筒２１をロック操作具１３の本体部分に連結させる。その後、ビット筒２１の制止突起２３が固定外筒４の縦溝２２に整列する位置、すなわち止め金体１９による施錠位置までロック操作具１３をその中心軸線の周りに回転させる。
この施錠位置においてロック操作具１３を引き上げると、制止突起２３が縦溝２２を通過することによって、ビット筒２１はロック操作具１３の本体部分と一緒に固定外筒４から抜取られる。
【００２２】
このように施錠位置においてビット筒２１を抜取った後、図１に示したように錠ユニット１２が所定深さまで固定外筒４に落とし込まれ、キャップ６が固定外筒４の上端開口部２にねじ込まれる。錠ユニット１２は、正当管理者以外の者が直接ロック軸１６にアクセスするのを阻止するためのものである。
【図面の簡単な説明】
【００２３】
【図１】本発明の一実施例に係るマンホール蓋用ロック装置の施錠状態における縦断面図である。
【図２】図１のロック装置のキャップを外した状態の平面図である。
【図３】図１のロック装置のキャップを嵌めた状態の平面図
【図４】図１のロック装置に使用した固定外筒の平面図である。
【図５】図４の固定外筒の縦断面図である。
【図６】図４の固定外筒の底面図である。
【図７】図１のロック装置に使用したキャップの平面図である。
【図８】図７のキャップの縦断面図である。
【図９】図１のロック装置に使用した鍵体とロック操作具を一体物に構成したハンドルの正面図である。
【図１０】図９のハンドルの右側面図である。
【図１１】図１のロック装置に使用したビット筒の平面図である。
【図１２】図１１のビット筒の正面図である。
【図１３】図１１のビット筒の底面図である。
【図１４】図１１のビット筒を吸着保持させた図９のハンドルの正面図である。
【図１５】図１のロック装置の錠ユニット抜取り状態の縦断面図である。
【図１６】図１のロック操作具挿入状態の縦断面図である。
【図１７】図１のロック装置のビット筒残置状態の縦断面図である。
【符号の説明】
【００２４】
１  マンホール蓋
２  固定外筒の上端開口部
３  固定外筒の雌螺子部
４  固定外筒
５  キャップの雄螺子部
６  キャップ
７  錠ユニットのケーシング
８  錠ユニットのロータ
９  錠ユニットの錠止板
１０  固定外筒の拡径受溝
１１  錠ユニットの鍵体
１２  錠ユニット
１３  ロック操作具
１４  ロック操作具の駆動部
１５  ロック軸の受動部
１６  ロック軸
１７  マンホール外枠
１８  マンホール外枠の受金部
１９  止め金体
２０  マグネット
２１  ビット筒
２２  固定外筒の縦溝
２３  ビット筒の制止突起
２４  拡径受溝の段差壁面
２５  キャップの受動部
２７  キャップの外周面溝
２８  防水用リング
２９  固定外筒の底壁部
３０  圧縮コイルバネ
３１  固定外筒の下端面の隆起部
３２  止め金体の停止突起
３３  マンホール蓋の垂直受孔
３４  固定外筒の固着孔
３５  錠ユニットの鍵孔
３６  錠ユニットのストッパーピン
３７  ハンドル
３８  ビット筒のガイド溝
３９  ロック操作具のガイド突起
４０  固定外筒の座板部
４１  ロック軸の上端部
【図１】
2007032230.tif 000003
【図２】
2007032230.tif 000004
【図３】
2007032230.tif 000005
【図４】
2007032230.tif 000006
【図５】
2007032230.tif 000007
【図６】
2007032230.tif 000008
【図７】
2007032230.tif 000009
【図８】
2007032230.tif 000010
【図９】
2007032230.tif 000011
【図１０】
2007032230.tif 000012
【図１１】
2007032230.tif 000013
【図１２】
2007032230.tif 000014
【図１３】
2007032230.tif 000015
【図１４】
2007032230.tif 000016
【図１５】
2007032230.tif 000017
【図１６】
2007032230.tif 000018
【図１７】
2007032230.tif 000019